(57)【要約】      （修正有）【課題】ユーザの関心の高いシーンを効率よく的確に検出してチャプタ設定するとともに、ユーザの関心の低いシーンを効率よく的確に検出してチャプタの終了位置を設定する。【解決手段】ユーザの設定したユーザキーワードが出現した時点から映像を再生し続けるための第１有効時間、及び当該ユーザキーワードに関連する関連キーワードが出現した時点から映像を再生し続けるための第２有効時間を格納するキーワード情報データ格納部１２と、ユーザキーワード及び関連キーワードが出現した位置をチャプタ開始位置として設定するとともに、チャプタ開始位置から後において第１有効時間及び第２有効時間経過後に、ユーザキーワード及び関連キーワード以外の非対象キーワードが出現した位置をチャプタ終了位置として設定するチャプタ設定部１４とを備える。【選択図】図１
2014096776.tif 000002
【特許請求の範囲】
【請求項１】
映像データにチャプタを設定するチャプタ設定装置であって、
ユーザの設定したユーザキーワードに対して当該ユーザキーワードが出現した時点から映像を再生し続けるための第１有効時間を示す第１有効時間データを含むキーワード情報データ、及び当該ユーザキーワードに関連する関連キーワードが出現した時点から映像を再生し続けるための第２有効時間を示す第２有効時間データを含むキーワード情報データを格納するキーワード情報データ格納部と、
前記映像データを解析して、前記第１有効時間及び前記第２有効時間経過後において前記ユーザキーワード及び前記関連キーワードが出現した位置をチャプタ開始位置として設定するとともに、前記チャプタ開始位置から後において前記第１有効時間及び前記第２有効時間経過後に、前記ユーザキーワード及び前記関連キーワード以外の非対象キーワードが出現した位置をチャプタ終了位置として設定するチャプタ設定部と、を備えるチャプタ設定装置。
【請求項２】
映像データにチャプタを設定するチャプタ設定装置であって、
ユーザの設定したユーザキーワードに対して当該ユーザキーワードが出現した時点から映像を再生し続けるための第１有効時間を示す第１有効時間データを含むキーワード情報データ、及び当該ユーザキーワードに関連する関連キーワードが出現した時点から映像を再生し続けるための第２有効時間を示す第２有効時間データを含むキーワード情報データを格納するキーワード情報データ格納部と、
前記映像データを解析して、前記第１有効時間及び前記第２有効時間経過後において、前記ユーザキーワード及び前記関連キーワード以外の非対象キーワードが出現した位置をチャプタ開始位置として設定するとともに、前記チャプタ開始位置から後において前記ユーザキーワード及び前記関連キーワードが出現した位置をチャプタ終了位置として設定するチャプタ設定部と、を備えるチャプタ設定装置。
【請求項３】
前記キーワード情報データ格納部が、前記ユーザキーワード、前記関連キーワード又は前記非対象キーワードとなり得るキーワードを示すキーワードデータ及び当該キーワードが出現した時点から映像を再生し続けるための有効時間を示す有効時間データを含むキーワード情報データを格納するものである請求項１又は２記載のチャプタ設定装置。
【請求項４】
前記ユーザキーワード、前記関連キーワード及び前記非対象キーワードを設定するキーワード設定部を備え、
前記キーワード設定部が、前記キーワード情報データ格納部に格納されたキーワードデータが示すキーワードの中からユーザが選択したキーワードを前記ユーザキーワードと設定し、前記キーワード情報データ格納部に格納されたキーワードデータが示すキーワードの中から前記ユーザキーワードに関連するキーワードを抽出して前記関連キーワードと設定し、前記キーワード情報データ格納部に格納されたキーワードデータが示すキーワードの中から前記ユーザキーワード及び前記関連キーワード以外のキーワードを前記非対象キーワードと設定する請求項３記載のチャプタ設定装置。
【請求項５】
前記キーワード情報データ格納部において、前記キーワードデータが、キーワードの属するカテゴリー毎に分類して格納されている請求項３又は４記載のチャプタ設定装置。
【請求項６】
前記キーワード情報データ格納部に格納されたキーワード情報データが、ユーザからの入力信号により編集可能に構成されている請求項３乃至５の何れかに記載のチャプタ設定装置。
【請求項７】
前記キーワード情報データのうち少なくとも有効時間データが、ユーザからの入力信号により編集可能に構成されている請求項６記載のチャプタ設定装置。
【請求項８】
ユーザからの入力信号により前記キーワード情報データ格納部に新たなキーワード情報データを格納可能に構成されている請求項３乃至７の何れかに記載のチャプタ設定装置。
【請求項９】
ユーザの視聴履歴情報を取得して、その視聴履歴情報から新たなキーワードを示すキーワード情報データを生成して、前記キーワード情報データ格納部に格納する視聴履歴管理部を備える請求項３乃至８の何れかに記載のチャプタ設定装置。
【請求項１０】
前記映像データにおける画像データ、音声データ又は字幕データの少なくとも１つからキーワードを検出し、当該キーワードを示す出現キーワードデータ及び当該キーワードの出現時間を示す出現時間データを含む出現キーワード情報データを生成する出現キーワード情報データ生成部を備え、
前記チャプタ設定部が、前記出現キーワード情報データ生成部により得られた出現キーワード情報データを取得し、その出現キーワード情報データが示す出現キーワードと前記ユーザキーワード、前記関連キーワード及び前記非対象キーワードとを比較して、前記チャプタ開始位置及び前記チャプタ終了位置を設定する請求項１乃至８の何れかに記載のチャプタ設定装置。
【請求項１１】
映像データにチャプタを設定するチャプタ設定プログラムであって、
ユーザの設定したユーザキーワードに対して当該ユーザキーワードが出現した時点から映像を再生し続けるための第１有効時間を示す第１有効時間データを含むキーワード情報データ、及び当該ユーザキーワードに関連する関連キーワードが出現した時点から映像を再生し続けるための第２有効時間を示す第２有効時間データを含むキーワード情報データを格納するキーワード情報データ格納部と、
前記映像データを解析して、前記第１有効時間及び前記第２有効時間経過後において前記ユーザキーワード及び前記関連キーワードが出現した位置をチャプタ開始位置として設定するとともに、前記チャプタ開始位置から後において前記第１有効時間及び前記第２有効時間経過後に、前記ユーザキーワード及び前記関連キーワード以外の非対象キーワードが出現した位置をチャプタ終了位置として設定するチャプタ設定部としての機能をコンピュータに発揮させることを特徴とするプログラム。
【請求項１２】
映像データにチャプタを設定するチャプタ設定プログラムであって、
ユーザの設定したユーザキーワードに対して当該ユーザキーワードが出現した時点から映像を再生し続けるための第１有効時間を示す第１有効時間データを含むキーワード情報データ、及び当該ユーザキーワードに関連する関連キーワードが出現した時点から映像を再生し続けるための第２有効時間を示す第２有効時間データを含むキーワード情報データを格納するキーワード情報データ格納部と、
前記映像データを解析して、前記第１有効時間及び前記第２有効時間経過後において、前記ユーザキーワード及び前記関連キーワード以外の非対象キーワードが出現した位置をチャプタ開始位置として設定するとともに、前記チャプタ開始位置から後において前記ユーザキーワード及び前記関連キーワードが出現した位置をチャプタ終了位置として設定するチャプタ設定部としての機能をコンピュータに発揮させることを特徴とするプログラム。
【発明の詳細な説明】
【技術分野】
【０００１】
本発明は、映像データにチャプタを設定するチャプタ設定装置に関するものである。
【背景技術】
【０００２】
従来、特許文献１に示すように、テレビジョン信号から字幕データ及び映像音声データを抽出し、予め設定されたキーワードに対応する前記字幕データ及び前記映像音声データが出現した時刻をチャプタ設定時刻として特定し、書き込み用映像音声データにチャプタ情報を付与するものがある。
【０００３】
また、特許文献２に示すように、所定文字が登録されている文字登録部と、放送データの中からキーワードを抽出する抽出手段を備え、この抽出手段によって抽出されたキーワードの中に、所定文字と一致するキーワードが含まれている場合に、このキーワードが含まれている時刻で放送データをチャプタ分割するものがある。
【０００４】
しかしながら、このような予め設定されたキーワードのみに基づいてチャプタ設定を行っているものでは、例えば設定されたキーワードそのものではなく、それに関連するキーワードが出現した場合等において、ユーザが関心がある部分であっても、そこで区切ったチャプタを設定することができないという問題がある。
【０００５】
また、予め設定されたキーワードに基づいてチャプタの開始時刻を設定するものでは、予め設定されたキーワードが出現する時間の間隔が長い場合、非常に冗長なチャプタ、つまりユーザの関心の低いシーンを多く含むチャプタ設定となってしまうという問題がある。
【先行技術文献】
【特許文献】
【０００６】
【特許文献１】特許第４０１９０８５号公報
【特許文献２】特開２０１１−２２３２０５号公報
【発明の概要】
【発明が解決しようとする課題】
【０００７】
そこで本発明は、ユーザの関心の高いシーンを効率よく的確に検出してチャプタ設定するとともに、ユーザの関心の低いシーンを効率よく的確に検出してチャプタの終了位置を設定し、ユーザの関心の高いシーンを含み、且つユーザの関心の低いシーンを除いたチャプタ設定をすることを主たる所期課題とするものである。
【課題を解決するための手段】
【０００８】
すなわち本発明に係るチャプタ設定装置は、映像データにチャプタを設定するチャプタ設定装置であって、ユーザの設定したユーザキーワードに対して当該ユーザキーワードが出現した時点から映像を再生し続けるための第１有効時間を示す第１有効時間データを含むキーワード情報データ、及び当該ユーザキーワードに関連する関連キーワードが出現した時点から映像を再生し続けるための第２有効時間を示す第２有効時間データを含むキーワード情報データを格納するキーワード情報データ格納部と、前記映像データを解析して、前記第１有効時間及び前記第２有効時間経過後において前記ユーザキーワード及び前記関連キーワードが出現した位置をチャプタ開始位置として設定するとともに、前記チャプタ開始位置から後において前記第１有効時間及び前記第２有効時間経過後に、前記ユーザキーワード及び前記関連キーワード以外の非対象キーワードが出現した位置をチャプタ終了位置として設定するチャプタ設定部と、を備えることを特徴とする。
【０００９】
このようなものであれば、ユーザが設定した前記ユーザキーワード及び前記ユーザキーワードに関連する前記関連キーワードが出現した位置をチャプタ開始位置として設定するので、ユーザの関心の高いシーンを効率よく的確に検出してチャプタ設定することができる。また、前記ユーザキーワード及び前記関連キーワード以外の非対象キーワードが出現した位置をチャプタ終了位置として設定するので、ユーザの関心の低いシーンを効率よく的確に検出してチャプタの終了位置を設定し、ユーザの関心の高いシーンを含み、且つユーザの関心の低いシーンを除いたチャプタ設定をすることができる。さらに、前記ユーザキーワードが出現した時点から映像を再生し続けるための前記第１有効時間と、前記関連キーワードが出現した時点から映像を再生し続けるための前記第２有効時間とをそれぞれ別に設定されているので、ユーザの関心度に合わせたチャプタ設定ができる。
【００１０】
映像データにチャプタを設定するチャプタ設定装置であって、ユーザの設定したユーザキーワードに対して当該ユーザキーワードが出現した時点から映像を再生し続けるための第１有効時間を示す第１有効時間データを含むキーワード情報データ、及び当該ユーザキーワードに関連する関連キーワードが出現した時点から映像を再生し続けるための第２有効時間を示す第２有効時間データを含むキーワード情報データを格納するキーワード情報データ格納部と、前記映像データを解析して、前記第１有効時間及び前記第２有効時間経過後において、前記ユーザキーワード及び前記関連キーワード以外の非対象キーワードが出現した位置をチャプタ開始位置として設定するとともに、前記チャプタ開始位置から後において前記ユーザキーワード及び前記関連キーワードが出現した位置をチャプタ終了位置として設定するチャプタ設定部と、を備えることが望ましい。
【００１１】
このようなものであれば、前記ユーザキーワード及び前記関連キーワード以外の前記非対象キーワードが出現した位置をチャプタ開始位置として設定するので、ユーザの関心の低いシーンからなるチャプタを設定し、映像データにおけるユーザの関心の低いシーンを明確にすることができる。また、前記ユーザキーワード及び前記関連キーワードが出現した位置をチャプタ終了位置として設定するので、ユーザの関心の高いシーンを効率よく的確に検出して次のチャプタ設定をすることができる。
【００１２】
前記キーワード情報データ格納部の具体的な構成として、前記キーワード情報データ格納部が、前記ユーザキーワード、前記関連キーワード又は前記非対象キーワードとなり得るキーワードを示すキーワードデータ及び当該キーワードが出現した時点から映像を再生し続けるための有効時間を示す有効時間データを含むキーワード情報データを格納するものであることが望ましい。
【００１３】
前記ユーザキーワード、前記関連キーワード及び前記非対象キーワードを設定するための具体的な構成として、前記ユーザキーワード、前記関連キーワード及び前記非対象キーワードを設定するキーワード設定部を備え、前記キーワード設定部が、前記キーワード情報データ格納部に格納されたキーワードデータが示すキーワードの中からユーザが選択したキーワードを前記ユーザキーワードと設定し、前記キーワード情報データ格納部に格納されたキーワードデータが示すキーワードの中から前記ユーザキーワードに関連するキーワードを抽出して前記関連キーワードと設定し、前記キーワード情報データ格納部に格納されたキーワードデータが示すキーワードの中から前記ユーザキーワード及び前記関連キーワード以外のキーワードを前記非対象キーワードと設定することが望ましい。
【００１４】
ユーザに選択された前記ユーザキーワードに基づいて、前記関連キーワード及び前記非対象キーワードを的確に設定するためには、前記キーワード情報データ格納部において、前記キーワードデータが、キーワードの属するカテゴリー毎に分類して格納されていることが望ましい。
【００１５】
ユーザによって、前記キーワード情報データ格納部に格納されたキーワード情報データを編集できるようにして、ユーザの関心の高いシーンを効率よく的確に検出できるようにするためには、前記キーワード情報データ格納部に格納されたキーワード情報データが、ユーザからの入力信号により編集可能に構成されていることが望ましい。
【００１６】
ユーザによって、前記キーワード情報データ格納部に格納されたキーワード情報データのうち有効時間データを編集できるようにして、効率よくユーザの関心の高いシーンを含むチャプタを設定するためには、前記キーワード情報データのうち少なくとも有効時間データが、ユーザからの入力信号により編集可能に構成されていることが望ましい。
【００１７】
ユーザによって、前記キーワード情報データ格納部に格納されたキーワード情報データを新たに格納できるようにして、ユーザの関心の高いシーンを効率よく的確に検出できるようにするためには、ユーザからの入力信号により前記キーワード情報データ格納部に新たなキーワード情報データを格納可能に構成されていることが望ましい。
【００１８】
ユーザの視聴履歴から、ユーザの関心の高いシーンに含まれるキーワードを生成して、前記キーワード情報データ格納部における前記キーワード情報データを充実させ、ユーザの関心の高いシーンを効率よく的確に検出できるようにするためには、ユーザの視聴履歴情報を取得して、その視聴履歴情報から新たなキーワードを示すキーワード情報データを生成して、前記キーワード情報データ格納部に格納する視聴履歴管理部を備えることが望ましい。
【００１９】
具体的な構成としては、前記ユーザキーワード、前記関連キーワード及び前記非対象キーワードと、前記映像データにおける出現キーワードデータとを比較して前記チャプタ開始位置及び前記チャプタ終了位置を設定するための具体的な構成として、を設定するための具体的な構成として、前記映像データにおける画像データ、音声データ又は字幕データの少なくとも１つからキーワードを検出し、当該キーワードを示す出現キーワードデータ及び当該キーワードの出現時間を示す出現時間データを含む出現キーワード情報データを生成する出現キーワード情報データ生成部を備え、前記チャプタ設定部が、前記出現キーワード情報データ生成部により得られた出現キーワード情報データを取得し、その出現キーワード情報データが示す出現キーワードと前記ユーザキーワード、前記関連キーワード及び前記非対象キーワードとを比較して、前記チャプタ開始位置及び前記チャプタ終了位置を設定することが望ましい。
【発明の効果】
【００２０】
このように構成した本発明によれば、ユーザの関心の高いシーンを効率よく的確に検出してチャプタ設定するとともに、ユーザの関心の低いシーンを効率よく的確に検出してチャプタの終了位置を設定し、ユーザの関心の高いシーンを含み、且つユーザの関心の低いシーンを除いたチャプタ設定をすることができる。
【図面の簡単な説明】
【００２１】
【図１】本実施形態におけるチャプタ設定装置を示すシステム構成図。
【図２】本実施形態における番組に設定されるチャプタを模式的に示した図。
【図３】本実施形態における番組に設定されるチャプタを模式的に示した図。
【図４】本実施形態におけるチャプタ設定処理のフローチャート図。
【図５】本実施形態におけるキーワード情報データ格納部の階層構造を示す図。
【図６】変形実施形態におけるチャプタ設定装置を示すシステム構成図。
【発明を実施するための形態】
【００２２】
以下に本発明の一実施形態について図面を参照して説明する。
【００２３】
本実施形態に係るチャプタ設定装置１００は、映像データＤ１にチャプタを設定するものであって、ＣＰＵ、メモリ、入出力インターフェイス、ＡＤ変換器等を備えた汎用乃至専用のコンピュータであり、前記メモリの所定領域に記憶させた制御プログラムにしたがってＣＰＵ、周辺機器等を協働させることにより映像データにチャプタを設定するものである。
【００２４】
このチャプタ設定装置１００は、具体的には、図１に示すように、出現キーワード情報データ生成部１１と、キーワード情報データ格納部１２と、キーワード設定部１３と、チャプタ設定部１４とを有する。
【００２５】
出現キーワード情報データ生成部１１は、図１に示すように、映像データＤ１の画像データからキーワードを検出する画像検出手段１１Ａと、映像データＤ１の音声データからキーワードを検出する音声検出手段１１Ｂと、映像データの字幕データからキーワードを検出する字幕検出手段１１Ｃとを有する。
【００２６】
そして、この出現キーワード情報データ生成部１１は、取得した映像データＤ１に含まれる、画像データ、音声データ及び字幕データから、キーワード及びその出現時刻を取得し、当該キーワード及びその出現時刻の情報を含む出現キーワード情報データＤ２を生成するものである。
【００２７】
キーワード情報データ格納部１２は、ジャンルに合わせた人物名又は関連用語などに関連する種々のキーワード、及び、当該キーワードが出現した時点から映像を再生し続けるための有効時間を示す有効時間データを含むキーワード情報データＤ３を、それぞれのジャンル毎に階層化して格納するものである。
【００２８】
キーワード情報データ格納部１２に格納されたキーワード情報データＤ３は、ユーザからの入力信号により編集可能に構成されている。具体的には、新規のキーワードを格納したり、各キーワードに対応する有効時間データに含まれる有効時間を編集することができるように構成されている。
【００２９】
キーワード設定部１３は、図１に示すように、ユーザからの入力信号を受信した入力信号受付部２１から、ユーザに選択されたキーワードを受信し、当該ユーザに選択されたキーワードをユーザキーワードＫ１として設定する。ここで、ユーザからの入力信号は、キーワード情報データ格納部１２に格納されているキーワード情報データＤ３の中から１つのキーワード情報データＤ３を選択するものであっても良いし、キーワード情報データＤ３に格納されていない新規のキーワードをユーザが直接入力するものでもよい。
【００３０】
また、キーワード設定部１３は、キーワード情報データ格納部１２に格納されたキーワード情報データＤ３が示すキーワードの中からユーザキーワードＫ１に関連するキーワードを抽出して関連キーワードＫ２として設定する。
【００３１】
さらに、キーワード設定部１３は、キーワード情報データ格納部１２に格納されたキーワード情報データＤ３が示すキーワードの中からユーザキーワードＫ１及び関連キーワードＫ２以外のキーワードを抽出して非対象キーワードＫ３として設定する。
【００３２】
そして、キーワード設定部１３は、ユーザキーワードＫ１及び当該ユーザキーワードＫ１が出現した時点から映像を再生し続けるための有効時間を示す第１有効時間データＴ１を含むユーザキーワードデータＤＫ１と、関連キーワードＫ２及び当該関連キーワードＫ２が出現した時点から映像を再生し続けるための有効時間を示す第２有効時間データＴ２を含む関連キーワードデータＤＫ２と、非対象キーワードＫ３を含む非対象キーワードデータＤＫ３とを生成するものである。
【００３３】
チャプタ設定部１４は、出現キーワード情報データ生成部１１で生成された出現キーワード情報データＤ２と、キーワード設定部１３で生成された、ユーザキーワードデータＤＫ１、関連キーワードデータＤＫ２及び非対象キーワードデータＤＫ３とを取得して、その出現キーワード情報データＤ２が示すキーワードと、ユーザキーワードデータＤＫ１が示すキーワード、関連キーワードデータＤＫ２が示すキーワード及び非対象キーワードデータＤＫ３が示すキーワードとを比較し、チャプタ開始位置Ｃｓ及びチャプタ終了位置Ｃｆを設定するものである。
【００３４】
そして、チャプタ設定部１４は、設定されたチャプタ開始位置Ｃｓ及びチャプタ終了位置Ｃｆの情報を録画番組データ格納部２２に送信する。この録画番組データ格納部２２は、設定されたチャプタ開始位置Ｃｓ及びチャプタ終了位置Ｃｆを含むチャプタ情報を格納するとともに、前記出現キーワード情報データ生成部１１により生成された出現キーワード情報データＤ２を格納するものである。このように録画番組データ格納部２２に出現キーワード情報データＤ２を格納しているので、ユーザがキーワードを変更した場合に、前記出現キーワード情報データＤ２を参照することで、変更後のキーワードによる新たなチャプタ設定や、ユーザの視聴によるキーワードの優先度の反映が容易に可能となり、正確性が向上する。つまり、一度（受信時又は初回再生時に）キーワードの出現時間を記録しておけば、ユーザキーワードを変更した際に、再生や市長をすること無しに変更されたユーザキーワード及びその関連キーワードでのチャプタ設定が可能となる。
【００３５】
以上の様に構成したチャプタ設定装置１００において、チャプタを設定する具体的な流れについて、図２、図３及び図４を参照して説明する。
【００３６】
チャプタ設定装置１００は、最初にユーザキーワードＫ１又は関連キーワードＫ２が出現した時刻に、ユーザの関心の高いシーンを含む最初のチャプタＣｘ１を開始するチャプタＣｘ１開始判断ステップＳ１と、ユーザの関心の高いシーンを含むチャプタＣｘｎを終了させるか判断するチャプタＣｘｎ終了判断ステップＳ２と、ユーザの関心の低いシーンのみで構成されるチャプタＣｙｎを終了させるか判断するチャプタＣｙｎ終了判断ステップＳ３とを有する。
【００３７】
まず、チャプタＣｘ１開始判断ステップＳ１について説明する。映像データＤ１に含まれる番組Ｅが開始されると同時に、最初のチャプタであるチャプタＣｙ０が開始する。このチャプタＣｙ０は、ユーザキーワードＫ１又は関連キーワードＫ２が出現したかどうかを判断するチャプタＣｘ１開始判断ステップＳ１において、ユーザキーワードＫ１又は関連キーワードＫ２が出現したと判断された場合に終了する。また、チャプタＣｙ０を終了すると同時に、次のチャプタであるチャプタＣｘ１を開始する。
【００３８】
ここで、チャプタＣｙ０は、ユーザキーワードＫ１又は関連キーワードＫ２が含まれないチャプタとなるので、ユーザの関心の低いシーンからなる構成されるチャプタであると言える。
【００３９】
次に、チャプタＣｘｎ終了判断ステップＳ２について説明する。このチャプタＣｘｎ終了判断ステップＳ２において、チャプタを終了させるかどうかを判断する対象となるチャプタＣｘｎ、例えばチャプタＣｘ１開始判断ステップＳ１において開始されたチャプタＣｘ１は、ユーザキーワードＫ１又は関連キーワードＫ２の出現により開始されたチャプタであるため、ユーザの関心の高いシーンを含むチャプタと言える。このチャプタＣｘｎ終了判断ステップＳ２は、ユーザの関心の高いシーンを構成する要素となるユーザキーワードＫ１又は関連キーワードＫ２が出現している間は、チャプタＣｘ１を区切らずに、映像を再生し続ける構成となっている。
【００４０】
具体的にチャプタＣｘｎ終了判断ステップＳ２は、ユーザキーワードＫ１の第１有効時間データＴ１における有効時間、又は、関連キーワードＫ２の第２有効時間データＴ２における有効時間の有効時間経過後であって、且つ、非対象キーワードが出現した場合にのみこのチャプタＣｘ１を終了させる。ここで、チャプタＣｘ１を終了した場合、同時に次のチャプタであるチャプタＣｙ１を開始する。
【００４１】
次に、チャプタＣｙｎ終了判断ステップＳ３について説明する。このチャプタＣｙｎ終了判断ステップＳ３において、チャプタを終了させるかどうかを判断する対象となるチャプタＣｙｎ、例えばチャプタＣｘｎ終了判断ステップＳ２において開始されたチャプタＣｙ１は、ユーザキーワードＫ１又は関連キーワードＫ２以外のキーワードである非対象キーワードＫ３の出現により開始されたチャプタであるため、ユーザの関心の低いシーンからなるチャプタと言える。このチャプタＣｙｎ終了判断ステップＳ３は、ユーザの関心の高いシーンを構成する要素となるユーザキーワードＫ１又は関連キーワードＫ２が出現するまでチャプタＣｙ１を区切らずに、映像を再生し続ける構成となっている。
【００４２】
具体的にチャプタＣｙｎ終了判断ステップＳ３は、ユーザキーワードＫ１又は関連キーワードＫ２が出現したと判断された場合にチャプタＣｙ１を終了させる。ここで、チャプタＣｙ１を終了すると同時に、次のチャプタであるチャプタＣｘ２を開始する。また、チャプタＣｘ２を開始すると同時に、チャプタＣｘｎ終了判断ステップＳ２に戻る。このようにして、番組Ｅが終了するまで、チャプタＣｘｎ終了判断ステップＳ２及びチャプタＣｙｎ終了判断ステップＳ３を繰り返し行う。
【００４３】
本実施形態では、チャプタＣｙ４の作成中に番組Ｅが終了するため、番組Ｅの終了位置にチャプタＣｙ４のチャプタ終了位置Ｃｆを設定する。
【００４４】
次に、キーワード情報データ格納部１２の階層構造について、図５を参照して説明する。
【００４５】
まず、キーワード情報データ格納部１２は、キーワード情報データＤ３が示すキーワードを範囲の大きい順に、大カテゴリーＬ１、中カテゴリーＬ２及び小カテゴリーＬ３に階層化して格納している。
【００４６】
大カテゴリーＬ１に分類されているキーワードとしては、大きな範囲を示すキーワード、例えば「スポーツ」、「洋画」、「邦画」又は「ドラマ」等である。
【００４７】
大カテゴリーＬ１の下の階層である中カテゴリーＬ２に分類されているキーワードとしては、大カテゴリーＬ１に分類されたキーワードに関連するより具体的なキーワード、例えば、大カテゴリーＬ１の「スポーツ」に含まれる中カテゴリーＬ２には、「全般」、「テニス」、「バスケットボール」又は「ラグビー」等である。また、大カテゴリーＬ１の「洋画」に含まれる中カテゴリーＬ２に分類されている中カテゴリーＬ２のキーワードとしては「全般」、「アクション」又は「ＳＦ」等である。
【００４８】
中カテゴリーＬ２のさらに下の階層である小カテゴリーＬ３に分類されているキーワードとしては、人物名又は関連用語などのキーワード、例えば、大カテゴリーＬ１の「スポーツ」に含まれる中カテゴリーＬ２の「テニス」には、「Ａ選手」、「Ｂ選手」、「スマッシュ」又は「ブレーク」等である。また、大カテゴリーＬ１の「スポーツ」に含まれる中カテゴリーＬ２の「バスケットボール」に分類されている小カテゴリーＬ３のキーワードとしては、「Ｃ選手」、「Ｄ選手」、「Ｅ選手」、「ダンクシュート」又は「ブレーク」等である。
【００４９】
この小カテゴリーＬ３に分類されているキーワードには、有効時間データがそれぞれに設定されている。また、各キーワードに設定されている有効時間データが示す有効時間は、初期設定では一定時間、例えば一律３秒と設定されている。さらに、ユーザからの入力信号により編集可能に構成されているので、例えばユーザの関心の高いキーワードの有効時間を長くすることもできる。
【００５０】
また、小カテゴリーＬ３に分類されているキーワードには、優先度が設定されており、初期設定では「Ｎ」である。この優先度は上述したチャプタを設定する際に変動するように構成してある。具体的には、あるキーワードがユーザキーワードＫ１に設定された場合は「Ａ」とし、関連キーワードＫ２として設定されたキーワードが「Ｂ」となる。
【００５１】
したがって、優先度「Ａ」と設定されたキーワードがユーザキーワードＫ１となり、優先度「Ｂ」と設定されたキーワードが関連キーワードＫ２となり、優先度「Ｎ」のままであるキーワードが非対象キーワードＫ３となる。
【００５２】
さらに、優先度「Ａ」と設定されたキーワードの有効時間データが示す有効時間が延長されるように構成してあるので、優先度「Ａ」と設定されたユーザキーワードＫ１は、その有効時間データが示す有効時間が延長され、５秒となる。この優先度「Ａ」と設定されたキーワードの有効時間を示すデータが、第１有効時間データＴ１となる。また、優先度「Ｂ」と設定されたキーワードの有効時間を示すデータが、第２有効時間データＴ２となる。
【００５３】
具体的な例をあげて説明すると、図５に示すように、小カテゴリーＬ３の「ダンクシュート」がユーザキーワードとして設定された場合、この「ダンクシュート」が優先度「Ａ」と設定され、有効時間データが示す有効時間が５秒となる。また、「ダンクシュート」を含む中カテゴリー「バスケットボール」に含まれる他の小カテゴリーＬ３のキーワードが関連キーワードＫ２、つまり優先度「Ｂ」として設定される。
【００５４】
そして、全キーワードのうち、中カテゴリーＬ２の「バスケットボール」以外のキーワードが全て優先度「Ｎ」、つまり非対象キーワードＫ３として設定される。
＜本実施形態の効果＞
【００５５】
このように構成したチャプタ設定装置１００によれば、チャプタＣｘ１開始判断ステップＳ１及びチャプタＣｙｎ終了判断ステップＳ３において、ユーザが設定したユーザキーワードＫ１及び関連キーワードＫ２が出現した位置をチャプタＣｘｎの開始位置として設定するので、ユーザの関心の高いシーンを効率よく的確に検出してチャプタ設定することができる。
【００５６】
また、チャプタＣｘｎ終了判断ステップＳ２において、ユーザキーワードＫ１及び関連キーワードＫ２以外の非対象キーワードＫ３が出現した位置をチャプタＣｙｎ終了位置として設定するので、ユーザの関心の低いシーンを効率よく的確に検出してチャプタＣｘｎの終了位置を設定し、ユーザの関心の高いシーンを含み、且つユーザの関心の低いシーンを除いたチャプタＣｘｎの設定をすることができる。
【００５７】
さらに、ユーザキーワードＫ１が出現した時点から映像を再生し続けるための第１有効時間データＴ１と、関連キーワードＫ２が出現した時点から映像を再生し続けるための第２有効時間データＴ２とをそれぞれ別に設定されているので、ユーザの関心度に合わせたチャプタ設定ができる。
【００５８】
加えて、例えばスポーツ番組において特定のスポーツのシーンのみ視聴することや、ニュース番組において特定のジャンルのニュースのみ視聴することが可能になり、逆に特定のスポーツ又は選手等を視聴しないことも可能になる。また、映画やドラマなどにおいては、出演者と役名との関連データをキーワード情報データ格納部１２に格納しておくことで、特定の出演者の登場シーンを抽出することができる。
【００５９】
＜その他の変形実施形態＞
なお、本発明は前記実施形態に限られるものではない。例えば、図６に示すように、ユーザの視聴履歴データを取得して、その視聴履歴データに含まれるキーワードから新たなキーワードを示すキーワード情報データＤ３を生成して、キーワード情報データ格納部１２に格納する視聴履歴管理部１５を備えるものであっても良い。
【００６０】
キーワード情報データ格納部１２に格納されたキーワードの有効時間データが、視聴履歴管理部１５によって、編集可能であり、視聴履歴管理部１５が、ユーザの視聴履歴データにおける出現頻度の高いシーンに含まれるキーワードについて、その有効時間データを延長するものであっても良い。これならば、ユーザが自ら有効時間データを編集せずとも、効率よくユーザの関心の高いシーンを含むチャプタを設定できる。
【００６１】
その他、本発明は前記実施形態に限られず、その趣旨を逸脱しない範囲で種々の変形が可能であるのは言うまでもない。
【符号の説明】
【００６２】
１００・・・チャプタ設定装置
１１  ・・・出現キーワード情報データ生成部
１１Ａ・・・画像検出手段
１１Ｂ・・・音声検出手段
１１Ｃ・・・字幕検出手段
１２  ・・・キーワード情報データ格納部
１３  ・・・キーワード設定部
１４  ・・・チャプタ設定部
１５  ・・・視聴履歴管理部
２１  ・・・入力信号受付部
２２  ・・・録画番組データ格納部
Ｃｓ  ・・・チャプタ開始位置
Ｃｆ  ・・・チャプタ終了位置
Ｄ１  ・・・映像データ
Ｄ２  ・・・出現キーワード情報データ
Ｄ３  ・・・キーワード情報データ
ＤＫ１・・・ユーザキーワードデータ
ＤＫ２・・・関連キーワードデータ
ＤＫ３・・・非対象キーワードデータ
Ｌ１  ・・・大カテゴリー
Ｌ２  ・・・中カテゴリー
Ｌ３  ・・・小カテゴリー
Ｓ１  ・・・チャプタＣｘ１開始判断ステップ
Ｓ２  ・・・チャプタＣｘｎ終了判断ステップ
Ｓ３  ・・・チャプタＣｙｎ終了判断ステップ
Ｅ    ・・・番組
【図１】
2014096776.tif 000003
【図２】
2014096776.tif 000004
【図３】
2014096776.tif 000005
【図４】
2014096776.tif 000006
【図５】
2014096776.tif 000007
【図６】
2014096776.tif 000008
【手続補正書】
【提出日】平成24年11月14日(2012.11.14)
【手続補正１】
【補正対象書類名】明細書
【補正対象項目名】０００４
【補正方法】変更
【補正の内容】
【０００４】
しかしながら、このような予め設定されたキーワードのみに基づいてチャプタ設定を行っているものでは、例えば設定されたキーワードそのものではなく、それに関連するキーワードが出現した場合等において、ユーザの関心がある部分であっても、そこで区切ったチャプタを設定することができないという問題がある。
【手続補正２】
【補正対象書類名】明細書
【補正対象項目名】００３４
【補正方法】変更
【補正の内容】
【００３４】
そして、チャプタ設定部１４は、設定されたチャプタ開始位置Ｃｓ及びチャプタ終了位置Ｃｆの情報を録画番組データ格納部２２に送信する。この録画番組データ格納部２２は、設定されたチャプタ開始位置Ｃｓ及びチャプタ終了位置Ｃｆを含むチャプタ情報を格納するとともに、前記出現キーワード情報データ生成部１１により生成された出現キーワード情報データＤ２を格納するものである。このように録画番組データ格納部２２に出現キーワード情報データＤ２を格納しているので、ユーザがキーワードを変更した場合に、前記出現キーワード情報データＤ２を参照することで、変更後のキーワードによる新たなチャプタ設定や、ユーザの視聴によるキーワードの優先度の反映が容易に可能となり、正確性が向上する。つまり、一度（受信時又は初回再生時に）キーワードの出現時間を記録しておけば、ユーザキーワードを変更した際に、再生や視聴をすること無しに変更されたユーザキーワード及びその関連キーワードでのチャプタ設定が可能となる。